(57)【特許請求の範囲】
【請求項１】
監視センタと第１ネットワークで接続されるとともに、監視領域に設置された周辺機器と第２ネットワークで接続され、監視領域の警備を行う警備装置であって、
前記周辺機器の識別情報と前記周辺機器の第２ネットワークにおけるアドレスとを対応付けたアドレス管理情報を記憶する記憶手段と、
前記監視センタから、アクセス対象の前記周辺機器との通信プロトコルに応じた第１ポート番号が付加された前記警備装置のアドレスを指定したアクセスを受信する受信手段と、
受信したアクセスで指定された第１ポート番号から、前記識別情報に基づいて予め定められたポート番号変換情報により、前記アクセス対象の前記周辺機器の前記識別情報を特定する周辺機器特定手段と、
受信したアクセスで指定された第１ポート番号から、前記ポート番号変換情報により前記第２ネットワークにおける前記周辺機器を指定する第２ポート番号に変換する変換手段と、
前記アドレス管理情報を参照して、前記周辺機器特定手段により特定された前記識別情報に対応するアドレスを取得するアドレス取得手段と、
前記周辺機器のアドレスに前記第２ポート番号を付加して前記周辺機器にアクセスする送信手段と、
を備えたことを特徴とする警備装置。
【請求項２】
前記記憶手段は、前記識別情報に基づく算出式で定められる前記第１ポート番号と、前記第２ポート番号とを対応付けた前記ポート番号変換情報をさらに記憶し、
前記周辺機器特定手段は、前記第１ポート番号から前記算出式を用いて前記識別情報を算出することを特徴とする請求項１に記載の警備装置。
【請求項３】
前記変換手段は、前記ポート番号変換情報において、前記第１ポート番号に対応づけられた前記第２ポート番号を特定することにより、前記第１ポート番号を前記第２ポート番号に変換することを特徴とする請求項２に記載の警備装置。
【請求項４】
前記受信手段は、さらに、前記周辺機器から、前記周辺機器のアドレスに前記周辺機器の第２ポート番号が付加された送信元アドレスと前記周辺機器の識別情報が指定された、前記監視センタへのアクセスを受信し、
前記変換手段は、さらに、前記送信元アドレスの前記第２ポート番号から、前記変換情報に基づいて、前記周辺機器の第１ポート番号に変換し、
前記送信手段は、さらに、前記送信元アドレスに前記第２ポート番号に代えて前記第１ポート番号を付加して前記監視センタにアクセスすることを特徴とする請求項１に記載の警備装置。
【請求項５】
前記記憶手段は、前記識別情報に基づく算出式で定められる前記第１ポート番号と、前記第２ポート番号とを対応付けた前記ポート番号変換情報をさらに記憶し、
前記変換手段は、前記ポート番号変換情報において、前記第２ポート番号に対応づけられた前記第１ポート番号を特定することにより、前記第２ポート番号を前記第１ポート番号に変換することを特徴とする請求項４に記載の警備装置。
【請求項６】
警備装置と、前記警備装置と第１ネットワークで接続された監視センタと、前記警備装置と第２ネットワークで接続された周辺機器とを備えた警備システムであって、
前記監視センタは、
前記周辺機器の識別情報を登録した周辺機器管理情報と、通信プロトコルに対応して、前記周辺機器の識別情報に基づいて第１ポート番号の生成式を定めたポート番号生成規則とを記憶する第１記憶手段と、
前記ポート番号生成規則を参照して、アクセス対象の前記周辺機器の前記識別情報と、アクセスの際に使用する通信プロトコルとから、前記第１ポート番号を生成するポート番号生成手段と、
前記警備装置のアドレスに、生成された前記第１ポート番号を付加して前記警備装置にアクセスする送信手段と、を備え、
前記警備装置は、
前記周辺機器の前記識別情報と前記周辺機器の第２ネットワークにおけるアドレスとを対応付けたアドレス管理情報を記憶する記憶手段と、
前記監視センタから、前記第１ポート番号が付加された前記警備装置のアドレスを指定したアクセスを受信する受信手段と、
受信したアクセスで指定された第１ポート番号から、前記識別情報に基づいて予め定められたポート番号変換情報により、前記アクセス対象の前記周辺機器の前記識別情報を特定する周辺機器特定手段と、
受信したアクセスで指定された第１ポート番号から、前記ポート番号変換情報により前記第２ネットワークにおける前記周辺機器を指定する第２ポート番号に変換する変換手段と、
前記アドレス管理情報を参照して、前記周辺機器特定手段により特定された前記識別情報に対応するアドレスを取得するアドレス取得手段と、
前記周辺機器のアドレスに前記第２ポート番号を付加して前記周辺機器にアクセスする送信手段と、
を備えたことを特徴とする警備システム。
【請求項７】
監視センタと第１ネットワークで接続されるとともに、監視領域に設置された周辺機器と第２ネットワークで接続され、監視領域の警備を行う警備装置で実行される通信方法であって、
前記警備装置は、前記周辺機器の識別情報と前記周辺機器の第２ネットワークにおけるアドレスとを対応付けたアドレス管理情報を記憶する記憶手段を備え、
前記監視センタから、アクセス対象の前記周辺機器との通信プロトコルに応じた第１ポート番号が付加された前記警備装置のアドレスを指定したアクセスを受信する受信ステップと、
受信したアクセスで指定された第１ポート番号から、前記識別情報に基づいて予め定められたポート番号変換情報により、前記アクセス対象の前記周辺機器の前記識別情報を特定する周辺機器特定ステップと、
受信したアクセスで指定された第１ポート番号から、前記ポート番号変換情報により前記第２ネットワークにおける前記周辺機器を指定する第２ポート番号に変換する変換ステップと、
前記アドレス管理情報を参照して、前記周辺機器特定ステップにより特定された前記識別情報に対応するアドレスを取得するアドレス取得ステップと、
前記周辺機器のアドレスに前記第２ポート番号を付加して前記周辺機器にアクセスする送信ステップと、
を含むことを特徴とする通信方法。
【発明の詳細な説明】
【技術分野】
【０００１】
本発明は、警備装置、警備システムおよび通信方法に関する。
【背景技術】
【０００２】
従来から、監視領域に設置されるセンサやカメラなどの周辺機器と、警備装置と、監視センタとをネットワークで接続して、監視領域の警備を行う警備システムでは、複数の周辺機器を監視センタ側で管理するのが一般的である。
【０００３】
このようなシステムにおいて、第１の従来技術として、複数の周辺機器に対して監視センタ側からアクセス可能とするとともに、周辺機器側から監視センタにアクセス可能とするために、全ての周辺機器にＩＰアドレスを付与する技術が知られている。
【０００４】
また、第２の従来技術として、警備装置側で周辺機器のＭＡＣアドレスを登録したルーティングテーブルを管理し、監視センタ側から警備装置へアクセスした際に、警備装置側でルーティングテーブルを参照して周辺機器へアクセスする技術が知られている。
【０００５】
また、第３の従来技術として、ポートフォワーディング機能を利用したルータを用いて広域ネットワーク上の端末から家庭内のローカルネットワークに接続されたネットワーク通信装置にアクセスする技術が知られている（例えば、特許文献１参照）。
【先行技術文献】
【特許文献】
【０００６】
【特許文献１】特開２００８−３０１０１１号公報
【発明の概要】
【発明が解決しようとする課題】
【０００７】
しかしながら、第１の従来技術では、すべての周辺機器のＩＰアドレスを監視センタ側で保持して管理する必要があるため、監視領域に設置する周辺機器が多数になると、監視センタ側の管理が膨大なものとなるという問題がある。特に、周辺機器の設置場所の移動等が頻繁に行われると、その都度ＩＰアドレスも変更されることもあり、これでは監視センタ側で周辺機器のＩＰアドレスの変更が頻繁に生じて、管理が煩雑になるとともに、周辺機器のＩＰアドレスの登録に誤りが生じることもあり、監視領域の的確な警備に支障をきたすおそれがある。
【０００８】
また、第２の従来技術では、警備装置側ですべての周辺機器のＭＡＣアドレスを管理する必要があり、このため監視センタ側での管理と同様に、ＭＡＣアドレスの管理が膨大かつ煩雑となるとともに、監視領域の的確な警備に支障をきたす恐れがあるという問題がある。
【０００９】
第３の従来技術は、一般的なポートフォワーディング機能に関する技術であり、警備システムという特有のシステムに適用した技術ではない。
【００１０】
本発明は、上記に鑑みてなされたものであって、周辺機器の管理を容易に行うとともに、監視領域の的確な警備を行うことができる警備装置、警備システムおよび通信方法を提供することを目的とする。
【課題を解決するための手段】
【００１１】
上述した課題を解決し、目的を達成するために、本発明にかかる警備装置は、監視センタと第１ネットワークで接続されるとともに、監視領域に設置された周辺機器と第２ネットワークで接続され、監視領域の警備を行う警備装置であって、前記周辺機器の識別情報と前記周辺機器の第２ネットワークにおけるアドレスとを対応付けたアドレス管理情報を記憶する記憶手段と、前記監視センタから、アクセス対象の前記周辺機器を指定する第１ポート番号が付加された前記警備装置のアドレスを指定したアクセスを受信する受信手段と、受信したアクセスで指定された第１ポート番号から、前記識別情報に基づいて予め定められたポート番号変換情報により、前記アクセス対象の前記周辺機器の前記識別情報を特定する周辺機器特定手段と、受信したアクセスで指定された第１ポート番号から、前記ポート番号変換情報により前記第２ネットワークにおける前記周辺機器を指定する第２ポート番号に変換する変換手段と、前記アドレス情報を参照して、前記周辺機器特定手段により特定された前記識別情報に対応するアドレスを取得するアドレス取得手段と、前記周辺機器のアドレスに前記第２ポート番号を付加して前記周辺機器にアクセスする送信手段と、を備えたことを特徴とする。
【００１２】
また、本発明にかかる警備システムは、警備装置と、前記警備装置と第１ネットワークで接続された監視センタと、前記警備装置と第２ネットワークで接続された周辺機器とを備えた警備システムであって、前記監視センタは、前記周辺機器の識別情報を登録した周辺機器管理情報と、通信プロトコルに対応して、前記周辺機器の識別情報に基づいて前記周辺機器を指定する第１ポート番号の生成式を定めたポート番号生成規則とを記憶する第１記憶手段と、前記ポート番号生成規則を参照して、アクセス対象の前記周辺機器の前記識別情報と、アクセスの際に使用する通信プロトコルとから、前記第１ポート番号を生成するポート番号生成手段と、前記警備装置のアドレスに、生成された前記第１ポート番号を付加して前記警備装置にアクセスする送信手段と、を備え、前記警備装置は、前記周辺機器の前記識別情報と前記周辺機器の第２ネットワークにおけるアドレスとを対応付けたアドレス管理情報を記憶する記憶手段と、前記監視センタから、アクセス対象の前記周辺機器を指定する第１ポート番号が付加された前記警備装置のアドレスを指定したアクセスを受信する受信手段と、受信したアクセスで指定された第１ポート番号から、前記識別情報に基づいて予め定められたポート番号変換情報により、前記アクセス対象の前記周辺機器の前記識別情報を特定する周辺機器特定手段と、受信したアクセスで指定された第１ポート番号から、前記ポート番号変換情報により前記第２ネットワークにおける前記周辺機器を指定する第２ポート番号に変換する変換手段と、前記アドレス情報を参照して、前記周辺機器特定手段により特定された前記識別情報に対応するアドレスを取得するアドレス取得手段と、前記周辺機器のアドレスに前記第２ポート番号を付加して前記周辺機器にアクセスする送信手段と、を備えたことを特徴とする。
【００１３】
また、本発明にかかる通信方法は、監視センタと第１ネットワークで接続されるとともに、監視領域に設置された周辺機器と第２ネットワークで接続され、監視領域の警備を行う警備装置で実行される通信方法であって、前記警備装置は、前記周辺機器の識別情報と前記周辺機器の第２ネットワークにおけるアドレスとを対応付けたアドレス管理情報を記憶する記憶手段を備え、前記監視センタから、アクセス対象の前記周辺機器を指定する第１ポート番号が付加された前記警備装置のアドレスを指定したアクセスを受信する受信ステップと、受信したアクセスで指定された第１ポート番号から、前記識別情報に基づいて予め定められたポート番号変換情報により、前記アクセス対象の前記周辺機器の前記識別情報を特定する周辺機器特定ステップと、受信したアクセスで指定された第１ポート番号から、前記ポート番号変換情報により前記第２ネットワークにおける前記周辺機器を指定する第２ポート番号に変換する変換ステップと、前記アドレス情報を参照して、前記周辺機器特定手段により特定された前記識別情報に対応するアドレスを取得するアドレス取得ステップと、前記周辺機器のアドレスに前記第２ポート番号を付加して前記周辺機器にアクセスする送信ステップと、を含むことを特徴とする。
【発明の効果】
【００１４】
本発明によれば、周辺機器の管理を容易に行うとともに、監視領域の的確な警備を行うことができるという効果を奏する。
【図面の簡単な説明】
【００１５】
【図１】図１は、本実施の形態にかかる警備システムのネットワーク構成図である。
【図２】図２は、警備装置の機能的構成を示すブロック図である。
【図３】図３は、周辺機器ＩＰアドレス管理テーブルの一例を示す説明図である。
【図４】図４は、ポート番号変換テーブルの一例を示す説明図である。
【図５】図５は、監視センタの機能的構成を示すブロック図である。
【図６】図６は、周辺機器管理テーブルの一例を示す説明図である。
【図７】図７は、ポート番号生成規則の一例を示す説明図である。
【図８】図８は、監視センタが周辺機器へアクセスする際の監視センタの通信処理の手順を示すフローチャートである。
【図９】図９は、監視センタからアクセスされた警備装置による通信処理の手順を示すフローチャートである。
【図１０】図１０は、周辺機器からアクセスされた警備装置の通信処理の手順を示すフローチャートである。
【図１１】図１１は、警備装置からアクセスされた監視センタの通信処理の手順を示すフローチャートである。
【図１２】図１２は、具体的な通信処理の例を示すシーケンス図である。
【発明を実施するための形態】
【００１６】
以下に添付図面を参照して、この発明にかかる警備装置、警備システムおよび通信方法の最良な実施の形態を詳細に説明する。
【００１７】
図１は、本実施の形態にかかる警備システムのネットワーク構成図である。本実施の形態の警備システムは、図１に示すように、警備装置１００と、複数の周辺機器１５０と、監視センタ２００とを主に備えている。
【００１８】
複数の周辺機器１５０は、警備装置１００の監視対象となる監視領域に設置され、例えば、各種センサ、カメラ、カードリーダ、マイク等である。複数の周辺機器１５０は、第２ネットワークの一部であるＬＡＮ（Ｌｏｃａｌ  Ａｒｅａ  Ｎｅｔｗｏｒｋ）等の機器間通信ネットワークにより警備装置１００に接続されている。
【００１９】
警備装置１００は、センサ等の周辺機器１５０から検知信号を受信した場合に、警備の動作状態である警備モードが警備状態である場合には警報を出力したり、異常通報を監視センタ２００に送信することにより、監視領域の警備を行うものである。なお、警備装置１００は、警備モードが警備解除状態の場合には、センサ等の周辺機器１５０から検知信号を受信した場合でも、警報の出力を行わず、異常通報の監視センタ２００への送信は行わない。
【００２０】
警備装置１００は、図１に示すように、ブロードバンドルータ２６０にＬＡＮ等の第２ネットワークの一部である警備装置側ネットワークで接続されている。
【００２１】
監視センタ２００は、警備装置１００から異常通報を受信した場合に、警備員の監視領域へ向かわせる処理を行う他、周辺機器１５０の検知信号や画像信号、音声信号等を警備装置１００を介して受信して各種監視処理を行うものである。
【００２２】
監視センタ２００は、図１に示すように、ＶＰＮルータ２５０に第１ネットワークの一部であるＬＡＮ等のセンタ側ネットワークで接続され、ＶＰＮルータ２５０とブロードバンドルータ２６０は、第１ネットワークの一部であるインターネットで接続されている。ＶＰＮルータ２５０と警備装置１００との間は、ＶＰＮ（Ｖｉｒｔｕａｌ  Ｐｒｉｖａｔｅ  Ｎｅｔｗｏｒｋ）接続される。なお、ブロードバンドルータ２６０には、ＰＣ（Ｐｅｒｓｏｎａｌ  Ｃｏｍｐｕｔｅｒ）３００も接続されている。
【００２３】
次に、警備装置１００の詳細について説明する。図２は、警備装置１００の機能的構成を示すブロック図である。警備装置１００は、図２に示すように、記憶部１１０と、警報出力部１０１と、周辺機器特定部１０２と、ポート番号変換部１０３と、アドレス取得部１０４と、通信部１０５とを主に備えている。
【００２４】
警報出力部１０１は、警備モードの切り換えや警報出力等の制御を行う。
【００２５】
通信部１０５は、周辺機器１５０からの検知信号、画像信号、音声信号等の各種信号を受信するとともに、監視センタ２００へこれらの各種信号を送信する処理を行う。また、通信部１０５は、監視センタ２００からの種種の通信プロトコルに応じたデータを受信し、周辺機器１５０への各種指令やデータの送信を行う。
【００２６】
より具体的には、通信部１０５は、監視センタ２００からデスティネーションアドレスとして警備装置１００のインターネット上のＩＰアドレスに監視センタ２００側で通信プロトコルを指定した監視センタ側指定ポート番号を付加したアドレスが指定されたパケットを受信する。通信部１０５は、この受信パケットのデスティネーションアドレスを、後述するアドレス取得部１０４で特定された周辺機器１５０の機器間通信ネットワークにおけるＩＰアドレスと、この周辺機器１５０のＩＰアドレスに、後述するポート番号変換部１０３による変換後の周辺機器側ポート番号を付加したアドレスに変更して、周辺機器１５０にアクセスする。
【００２７】
また、通信部１０５は、周辺機器１５０から各種信号等を含むパケットを受信した場合、受信パケットのソースアドレスに周辺機器１５０のＩＰアドレスとともに指定された周辺機器側ポート番号を、後述するポート番号変換部１０３による変換後の監視センタ側指定ポート番号に変更し、周辺機器１５０のＩＰアドレスを警備装置１００のＩＰアドレスに変更して、監視センタ２００にアクセスする。
【００２８】
さらに、通信部１０５は、ＶＰＮ接続に関する処理も行う。
【００２９】
記憶部１１０は、ハードディスクドライブ装置（ＨＤＤ：Ｈａｒｄ  Ｄｉｓｋ  Ｄｒｉｖｅ）やメモリ等の記憶媒体であり、周辺機器ＩＰアドレス管理テーブル１１１と、ポート番号変換テーブル１１２が格納されている。
【００３０】
周辺機器ＩＰアドレス管理テーブル１１１は、各周辺機器の識別情報である周辺機器番号と、各周辺機器の機器間通信ネットワークにおけるＩＰアドレスとを対応付けて登録した周辺機器のアドレス管理のためのテーブルである。
【００３１】
図３は、周辺機器ＩＰアドレス管理テーブル１１１の一例を示す説明図である。図３に示すように、周辺機器ＩＰアドレス管理テーブル１１１には、周辺機器番号に対応して、機器間通信ネットワーク内におけるＩＰアドレスが登録されている。
【００３２】
ポート番号変換テーブル１１２は、周辺機器番号に基づく算出式で定められる周辺機器側ポート番号（第２ポート番号）と、監視センタ側で使用する通信プロトコルに応じて指定されるポート番号である監視センタ側指定ポート番号（第１ポート番号）とを対応付け、二つのポート番号間の変換や監視センタ側指定ポート番号から周辺機器番号の特定を行うためのテーブルである。
【００３３】
図４は、ポート番号変換テーブル１１２の一例を示す説明図である。ポート番号変換テーブル１１２には、図４に示すように、周辺機器番号に基づく算出式で示される監視センタ側指定ポート番号に周辺機器側ポート番号が対応付けられて登録されている。
【００３４】
図２に戻り、周辺機器特定部１０２は、監視センタ２００から受信したアクセスでデスティネーションアドレスで指定された監視センタ側指定ポート番号から、ポート番号変換テーブル１１２の算出式を用いてアクセス対象の周辺機器１５０の周辺機器番号を特定する。具体的には、周辺機器特定部１０２は、監視センタ２００から受信パケットのデスティネーションアドレスに警備装置１００のＩＰアドレスとともに指定されている監視センタ側指定ポート番号を抽出し、抽出した監視センタ側指定ポート番号の値をポート番号変換テーブル１１２の監視センタ側指定ポート番号のフィールドの算出式に順次あてはめて、算出式から逆算して適切な値となるもの（例えば、整数値でかつ周辺機器ＩＰアドレス管理テーブルに登録されている周辺機器番号の値に一致するもの）を周辺機器番号として求める処理を行う。図４に示すポート番号変換テーブル１１２の算出式の例では、監視センタ側指定ポート番号の値から「２００００」を差し引き、さらに「４」で除算した商が周辺機器番号となり、剰余が算出式の第３項の値に該当する。
【００３５】
例えば、監視センタ２００からの受信パケットのデスティネーションアドレスに指定された監視センタ側指定ポート番号が「２０００９」である場合には、「２００００」を差し引き、「４」で除算した商「２」が周辺機器番号となり、剰余「１」が算出式の第３項の値に該当する。従って、周辺機器特定部１０２は、周辺機器番号を「２」と特定する。また、この場合、第３項が「１」であるため、ポート番号変換テーブル１１２の最上位フィールドから２番目のフィールドが該当する監視センタ側指定ポート番号のフィールドとなる。
【００３６】
また、周辺機器特定部１０２は、周辺機器１５０から各種信号のパケットを受信した場合、周辺機器ＩＰアドレス管理テーブル１１１において、受信パケットに含まれるソースアドレスで指定された周辺機器１５０のＩＰアドレスに対応付けられている周辺機器番号を、送信元の周辺機器１５０の周辺機器番号として特定する。
【００３７】
ポート番号変換部１０３は、監視センタ２００からの受信パケットのデスティネーションアドレスに警備装置１００のＩＰアドレスとともに指定されている監視センタ側指定ポート番号から、ポート番号変換テーブル１１２を参照して、機器間通信ネットワークにおける周辺機器１５０を指定する周辺機器側ポート番号に変換する。
【００３８】
具体的には、周辺機器特定部１０２で周辺機器番号を特定する際に、ポート番号変換テーブル１１２の監視センタ側指定ポート番号のフィールドの算出式に合致する監視センタ側指定ポート番号に対応づけられた周辺機器側ポート番号を特定することにより、監視センタ側指定ポート番号から周辺機器側ポート番号に変換する。
【００３９】
上記の監視センタ側指定ポート番号「２０００９」の場合、上記剰余が「１」であり、ポート番号変換テーブル１１２の最上位フィールドから２番目のフィールドが該当する監視センタ側指定ポート番号のフィールドとなるため、これに対応する「５０００」が周辺機器側ポート番号として特定される。従って、ポート番号変換部１０３は、ポート番号変換テーブル１１２を参照して、監視センタ側指定ポート番号「２０００９」を周辺機器側ポート番号「５０００」に変換することになる。
【００４０】
また、ポート番号変換部１０３は、周辺機器１５０から各種信号のパケットを受信した場合、周辺機器ＩＰアドレス管理テーブル１１１において、受信パケットに含まれるソースアドレスで指定された周辺機器側ポート番号に対応する算出式に、周辺機器特定部１０２で特定された周辺機器番号を代入して、監視センタ側指定ポート番号を算出することにより、周辺機器側ポート番号を監視センタ側指定ポート番号に変換する。
【００４１】
アドレス取得部１０４は、周辺機器ＩＰアドレス管理テーブル１１１において、周辺機器特定部１０２で特定された周辺機器番号に対応するＩＰアドレスを取得する。上記の監視センタ側指定ポート番号が「２０００９」の例では、周辺機器番号が「２」と特定されるため、アドレス取得部１０４は、周辺機器番号「２」に対応するＩＰアドレス「１９２．１６８．２．３」を監視センタ２００のアクセス対象の周辺機器１５０のＩＰアドレスとして取得する。
【００４２】
次に、監視センタ２００の詳細について説明する。図５は、監視センタ２００の機能的構成を示すブロック図である。監視センタ２００は、図５に示すように、ポート番号生成部２０１と、通信部２０２と、記憶部２１０とを主に備えている。
【００４３】
記憶部２１０は、ＨＤＤやメモリ等の記憶媒体であり、周辺機器管理テーブル２１１と、ポート番号生成規則２１２とを格納している。周辺機器管理テーブル２１１は、周辺機器番号を管理するテーブルである。図６は、周辺機器管理テーブル２１１の一例を示す説明図である。周辺機器管理テーブル２１１は、図６に示すように、周辺機器１５０の周辺機器番号と、周辺機器種別とが対応付けられて登録されており、周辺機器のＩＰアドレスは管理していない。
【００４４】
ポート番号生成規則２１２は、通信プロトコルに応じて使用する監視センタ側指定ポート番号を生成するためのデータである。図７は、ポート番号生成規則２１２の一例を示す説明図である。ポート番号生成規則２１２は、図７に示すように、通信プロトコルと、監視センタ側指定ポート番号の算出式とが対応付けられて登録されている。この監視センタ側指定ポート番号の算出式は、警備装置１００のポート番号変換テーブル１１２の監視センタ側指定ポート番号の算出式と同じものであり、監視センタ側指定ポート番号が周辺機器番号から算出されるように規定されている。
【００４５】
図５に戻り、ポート番号生成部２０１は、ポート番号生成規則２１２を参照して、アクセス対象の周辺機器１５０の周辺機器番号と、アクセスの際に使用する通信プロトコルとから、監視センタ側指定ポート番号を生成する。具体的には、ポート番号生成部２０１は、アクセス対象の周辺機器１５０の周辺機器番号を周辺機器管理テーブル２１１から特定し、ポート番号生成規則２１２において、アクセスの際に使用する通信プロトコルに対応する算出式に、特定した周辺機器番号を代入して監視センタ側指定ポート番号を算出する。
【００４６】
通信部２０２は、インターネット上の警備装置１００のＩＰアドレスに、ポート番号生成部２０１により生成された監視センタ側指定ポート番号を付加してデスティネーションアドレスとし、警備装置１００にアクセスする。
【００４７】
次に、以上のように構成された本実施の形態の警備システムによる通信処理について説明する。図８は、監視センタ２００が周辺機器１５０へアクセスする際の監視センタ２００の通信処理の手順を示すフローチャートである。
【００４８】
まず、ポート番号生成部２０１は、アクセス対象の周辺機器１５０の周辺機器番号を周辺機器管理テーブル２１１から取得する（ステップＳ１１）。次に、ポート番号生成部２０１は、ポート番号生成規則２１２を参照して、取得した周辺機器番号と、使用する通信プロトコルに対応する算出式とから監視センタ側指定ポート番号を算出する（ステップＳ１２）。
【００４９】
次に、通信部２０２は、インターネット上の警備装置１００のＩＰアドレスに、ポート番号生成部２０１により生成された監視センタ側指定ポート番号を付加してデスティネーションアドレス（Ｄｓｔ）とし、警備装置１００にアクセスする（ステップＳ１３）。
【００５０】
図９は、監視センタ２００からアクセスされた警備装置１００による通信処理の手順を示すフローチャートである。
【００５１】
警備装置１００が監視センタ２００からアクセスされて、通信部１０５がパケットを受信すると、周辺機器特定部１０２は、受信パケットのデスティネーションアドレス（Ｄｓｔ）で指定された監視センタ側指定ポート番号を取得する（ステップＳ２１）。そして、周辺機器特定部１０２は、取得した監視センタ側指定ポート番号から、ポート番号変換テーブル１１２を参照して、上述のとおり、周辺機器番号を算出する（ステップＳ２２）。次に、ポート番号変換部１０３は、上述のとおり、ポート番号変換テーブル１１２を参照して、監視センタ側指定ポート番号を周辺機器側ポート番号に変換する（ステップＳ２３）。
【００５２】
そして、アドレス取得部１０４は、周辺機器ＩＰアドレス管理テーブル１１１を参照して、周辺機器番号に対応した周辺機器１５０のＩＰアドレスを取得する（ステップＳ２４）。次いで、通信部１０５は、取得した周辺機器１５０のＩＰアドレスに変換後の周辺機器側ポート番号を付加してデスティネーションアドレス（Ｄｓｔ）に設定し、周辺機器にアクセスする（ステップＳ２５）。以上により、監視センタ２００から周辺機器１５０へのアクセスが可能となる。
【００５３】
次に、周辺機器１５０から監視センタ２００にアクセスする際の通信処理について説明する。図１０は、周辺機器１５０からアクセスされた警備装置１００の通信処理の手順を示すフローチャートである。
【００５４】
警備装置１００が周辺機器１５０からアクセスされて、通信部１０５がパケットを受信すると、通信部１０５は、受信パケットのソースアドレス（Ｓｒｃ）に指定されている周辺機器１５０のＩＰアドレスと周辺機器側ポート番号を取得する（ステップＳ３１）。そして、周辺機器特定部１０２は、周辺機器ＩＰアドレス管理テーブル１１１において、取得したＩＰアドレスに対応する周辺機器番号を特定する（ステップＳ３２）。
【００５５】
次に、ポート番号変換部１０３は、ポート番号変換テーブル１１２において、ステップＳ３１で取得した周辺機器側ポート番号に対応する算出式に、ステップＳ３２で特定した周辺機器番号を代入して、監視センタ側指定ポート番号を算出する（ステップＳ３３）。これにより、ポート番号変換部１０３は、周辺機器側ポート番号を監視センタ側指定ポート番号に変換したことになる。
【００５６】
次に、通信部１０５は、警備装置１００のインターネット上のＩＰアドレスに算出した監視センタ側指定ポート番号を付加してソースアドレス（Ｓｒｃ）に設定し、監視センタ２００にアクセスする（ステップＳ３４）。
【００５７】
図１１は、警備装置１００からアクセスされた監視センタ２００の通信処理の手順を示すフローチャートである。
【００５８】
監視センタ２００が警備装置１００からアクセスされて、通信部２０２がパケットを受信すると、通信部２０２は、受信パケットのソースアドレス（Ｓｒｃ）に指定された監視センタ側指定ポート番号を取得する（ステップＳ４１）。
【００５９】
そして、通信部２０２は、ポート番号生成規則２１２における算出式を用いて、上述の警備装置１００の周辺機器特定部１０２による算出法手法と同様の手法により、周辺機器１５０の周辺機器番号を算出する（ステップＳ４２）。これにより、監視センタ２００では、周辺機器のポート番号やＩＰアドレスを管理していない場合でも、アクセスした周辺機器を特定することが可能となる。
【００６０】
図１２は、具体的な通信処理の例を示すシーケンス図である。図１２に示すように、本例では、監視センタ２００からステップＳ５１で警備装置１００へのアクセスを行った場合、ステップＳ５２，Ｓ５３によりＶＰＮ接続を開始している。
【００６１】
監視センタ２００から警備装置１００へのアクセスは、ステップＳ５４で行われ、このときのデスティネーションアドレス（Ｄｓｔ）には、警備装置１００のＩＰアドレス「１７２．２３．２．２」と監視センタ側指定ポート番号「２０００４」が設定されている。
【００６２】
警備装置１００では、この監視センタ側指定ポート番号「２０００４」を、上述の処理により、周辺機器側ポート番号「２１」に変換して、周辺機器１５０のＩＰアドレス「１９２．１６８．２．２」に周辺機器側ポート番号「２１」を付加したデスティネーションアドレスで、ステップＳ５５において周辺機器にアクセスしている。
【００６３】
一方、周辺機器１５０から警備装置１００へのステップＳ５６のアクセスでは、送信元を示すソースアドレス（Ｓｒｃ）に周辺機器１５０のＩＰアドレス「１９２．１６８．２．２」と周辺機器側ポート番号「２１」が設定されている。
【００６４】
警備装置１００では、この周辺機器側ポート番号「２１」を、上述の処理により、監視センタ側指定ポート番号「２０００４」に変換する。そして、警備装置１００のＩＰアドレス「１７２．２３．２．２」に監視センタ側指定ポート番号「２０００４」を付加してソースアドレス（Ｓｒｃ）を設定して、ステップＳ５７で監視センタ２００にアクセスする。そして、ステップＳ５８，Ｓ５９でＶＰＮ接続解除を行い、ステップＳ６０でパケットが監視センタ２００に送信される。
【００６５】
本実施の形態の警備装置１００、監視センタ２００は、ＣＰＵなどの制御装置と、ＲＯＭ（Read  Only  Memory）やＲＡＭなどの記憶装置と、ＨＤＤ、ＣＤドライブ装置などの外部記憶装置と、ディスプレイ装置などの表示装置と、キーボードやマウスなどの入力装置を備えており、通常のコンピュータと同様のハードウェア構成となっている。
【００６６】
このように本実施の形態では、警備装置１００側で、監視センタ２００で指定した監視センタ側指定ポート番号を周辺機器側ポート番号に変換して、周辺機器１５０へのアクセスを行い、周辺機器１５０側で指定された周辺機器側ポート番号を監視センタ側指定ポート番号に変換して、監視センタ２００にアクセスしている。このため、監視センタ２００で周辺機器１５０のＩＰアドレスを管理する必要がなくなり、周辺機器１５０の管理を容易に行うとともに、監視領域の的確な警備を行うことができる。
【符号の説明】
【００６７】
１００  警備装置
１０１  警報出力部
１０２  周辺機器特定部
１０３  ポート番号変換部
１０４  アドレス取得部
１０５，２０２  通信部
１１０，２１０  記憶部
１１１  周辺機器ＩＰアドレス管理テーブル
１１２  ポート番号変換テーブル
１５０  周辺機器
２０１  ポート番号生成部
２１１  周辺機器管理テーブル
２１２  ポート番号生成規則
【図１】
0005417163.tif 000002
【図２】
0005417163.tif 000003
【図３】
0005417163.tif 000004
【図４】
0005417163.tif 000005
【図５】
0005417163.tif 000006
【図６】
0005417163.tif 000007
【図７】
0005417163.tif 000008
【図８】
0005417163.tif 000009
【図９】
0005417163.tif 000010
【図１０】
0005417163.tif 000011
【図１１】
0005417163.tif 000012
【図１２】
0005417163.tif 000013